(57)【要約】【課題】自走車の後部にリンク機構を介して連結され、複数条の作業箇所に作用する複数の対地作業部が備えられた水田作業部と、複数の対地作業部のうちの一部の対地作業部を作用状態と停止状態とに切り換える端数条クラッチを自走車に設け、端数条クラッチを切換え操作するクラッチレバーを水田作業部に設けた水田作業機において、端数条クラッチとクラッチレバーを連動連結する操作ケーブルのリンク機構に対する干渉を回避する。【解決手段】操作ケーブル５１Ｌ，５１Ｎ，５１Ｒは、リンク機構８を車体横外側方向に迂回する迂回部位５１Ｕを備えて自走車と水田作業部２０とにわたって配備してある。【選択図】図２
2015092878.tif 000002
【特許請求の範囲】
【請求項１】
自走車と、前記自走車の後部にリンク機構を介して下降作業状態と上昇非作業状態とに昇降操作できるように連結され、圃場における複数条の作業箇所に作用する複数の対地作業部が備えられた水田作業部と、を備え、
前記複数の対地作業部のうちの一部の対地作業部を作用状態と停止状態とに切り換える端数条クラッチを、前記自走車と前記水田作業部との一方に設け、
前記端数条クラッチを切換え操作するクラッチレバーを、前記自走車と前記水田作業部との他方に設け、
前記端数条クラッチの操作部と前記クラッチレバーとを連動連結する操作ケーブルを備え、
前記操作ケーブルは、前記リンク機構を車体横外側方向に迂回する迂回部位を備えた状態で前記自走車と前記水田作業部とにわたって配備されている水田作業機。
【請求項２】
前記迂回部位が、前記水田作業部の前記下降作業状態において、水平又はほぼ水平になる請求項１に記載の水田作業機。
【請求項３】
前記迂回部位における車体横外側端が、車体横方向で前記自走車の横外側端と同じ又はほぼ同じ箇所に位置する請求項１又は２に記載の水田作業機。
【請求項４】
前記端数条クラッチを複数、備え、
前記操作ケーブルとして、前記複数の端数条クラッチの操作部を前記クラッチレバーに連動連結する複数の操作ケーブルを備え、
前記複数の操作ケーブルが前記リンク機構を車体左横外側方向又は車体右横外側方向の同一方向に迂回している請求項１〜３のいずれか一項に記載の水田作業機。
【請求項５】
前記クラッチレバーとして、前記複数の操作ケーブルが各別に連結された複数のクラッチレバーを備えている請求項４に記載の水田作業機。
【請求項６】
前記水田作業部に、車体横方向に並んだ複数の苗植付機構と、前記複数の苗植付機構に苗供給する苗載台と、を備え、
前記複数の対地作業部として、前記複数の苗植付機構による苗植箇所の付近に各別に粉粒体供給する複数の粉粒体供給部を備え、
前記自走車に、粉粒体タンクから粉粒体を繰り出す複数の繰出機構を設けるとともに、前記複数の繰出機構それぞれを、繰り出した粉粒体を前記複数の粉粒体供給部のうちの一部の粉粒体供給部に供給するように構成し、
前記端数条クラッチとして、前記複数の繰出機構に各別に作用するように構成して、かつ前記繰出機構への伝動を入り切りするように構成して前記自走車に設けられた複数の端数条繰出クラッチを備え、
前記クラッチレバーを前記苗載台の裏面側に支持してある請求項１〜５のいずれか一項に記載の水田作業機。
【請求項７】
前記苗載台に、苗を前記苗植付機構に向けて縦送りする縦送りベルトを設け、
前記クラッチレバーは、前記縦送りベルトよりも苗載台上端側に位置している請求項６に記載の水田作業機。
【請求項８】
前記クラッチレバーと前記繰出機構とが、前記水田作業部の前記下降作業状態において、同じ高さに位置する請求項６又は７に記載の水田作業機。
【請求項９】
前記端数条繰出クラッチによって伝動が入り切り操作される前記一部の繰出機構に対応する前記苗植付機構への伝動を入り切りする端数条植クラッチを前記水田作業部に備え、
前記端数条植クラッチの操作部と前記クラッチレバーとを連動連結する植付操作ケーブルを備え、
前記操作ケーブルのうちの前記迂回部位と前記クラッチレバーとにわたる部分は、前記苗載台の裏面側に苗載台横方向に配備され、
前記植付操作ケーブルは、前記苗載台の裏面側に苗載台上下方向に配備されている請求項６〜８のいずれか一項に記載に水田作業機。
【請求項１０】
前記操作ケーブルのうちの前記迂回部位と前記クラッチレバーとにわたる部分と、前記植付操作ケーブルとが、車体前後方向視で交差している請求項９に記載の水田作業機。
【請求項１１】
自走車と、前記自走車の後部にリンク機構を介して下降作業状態と上昇非作業状態とに昇降操作できるように連結され、圃場における複数条の作業箇所に作用する複数の対地作業部が備えられた水田作業部とを備え、
前記複数の対地作業部のうちの一部の対地作業部を作用状態と停止状態とに切り換える複数の端数条クラッチを、前記自走車と前記水田作業部との一方に設け、
前記複数の端数条クラッチを各別に切換え操作する複数のクラッチレバーを、前記自走車と前記水田作業部との他方に設け、
前記複数の端数条クラッチの操作部を前記複数のクラッチレバーに連動連結する複数の操作ケーブルを備え、
前記複数の操作ケーブルは、前記リンク機構を車体左外側方向または車体右外側方向の同一方向に迂回する迂回部位を備えた状態で前記自走車と前記水田作業部とにわたって配備され、
前記複数の操作ケーブルのうちの前記迂回部位が、前記水田作業部の前記下降作業状態において、水平又はほぼ水平になり、
前記複数の操作ケーブルの前記迂回部位における車体横外側端が、車体横方向で前記自走車の横外側端と同じ又はほぼ同じ箇所に位置する水田作業機。
【請求項１２】
自走車と、前記自走車の後部にリンク機構を介して下降作業状態と上昇非作業状態とに昇降操作できるように連結された水田作業部と、を備え、
前記水田作業部は、車体横方向に並んだ複数の苗植付機構、前記複数の苗植付機構に苗供給する苗載台、及び前記複数の苗植付機構による苗植箇所の付近に各別に粉粒体供給する複数の粉粒体供給部を備え、
前記苗載台は、載置された苗を前記苗植付機構に向けて縦送りする縦送りベルトを備え、
前記複数の苗植付機構のうちの一部の苗植付機構への伝動を入り切りすることによって当該一部の苗植付機構を作用状態と停止状態とに切換える複数の端数条植クラッチを、前記水田作業部に備え、
前記自走車は、粉粒体タンクから粉粒体を繰出し、繰出した粉粒体を前記複数の粉粒体供給部のうちの一部の粉粒体供給部に供給する複数の繰出機構、及び、前記複数の繰出機構への伝動を各別に入り切りすることによって前記粉粒体供給部を作用状態と停止状態とに切換える複数の端数条繰出クラッチを備え、
前記複数の端数条植クラッチを各別に切換え操作し、かつ前記端数条繰出クラッチを各別に切換え操作する複数のクラッチレバーを、前記苗載台の裏面側に前記縦送ベルトよりも苗載台上端側に位置させて支持し、
前記複数のクラッチレバーそれぞれは、前記端数条植クラッチ、及び当該端数条植クラッチに対応する前記端数条繰出クラッチを切り換え操作するように構成し、
前記クラッチレバーと前記繰出機構とが、前記水田作業部の前記下降作業状態において、同じ高さに位置し、
前記複数のクラッチレバーを前記複数の端数条繰出クラッチの操作部に各別に連動連結する複数の操作ケーブルを備え、
前記複数のクラッチレバーを前記複数の端数条植クラッチの操作部に各別に連動連結する複数の植付操作ケーブルを備え、
前記複数の操作ケーブルは、前記リンク機構を車体左横外側方向又は車体右横外側方向の同一方向に迂回する迂回部位を備えた状態で前記自走車と前記水田作業部とにわたって配備され、
前記迂回部位が、前記水田作業部の前記下降作業状態において、水平又はほぼ水平になり、
前記迂回部位における車体横外側端が、車体横方向で前記自走車の横外側端と同じまたはほぼ同じ箇所に位置し、
前記操作ケーブルのうちの前記迂回部位と前記クラッチレバーとにわたる部分は、前記苗載台の裏面側に苗載台横方向に配備され、
前記植付操作ケーブルは、前記苗載台の裏面側に苗載台上下方向に配備され、
前記操作ケーブルのうちの前記迂回部位と前記クラッチレバーとにわたる部分と、前記植付操作ケーブルとが、車体前後方向視で交差している水田作業機。
【発明の詳細な説明】
【技術分野】
【０００１】
本発明は、自走車と、前記自走車の後部にリンク機構を介して下降作業状態と上昇非作業状態とに昇降操作できるように連結され、圃場における複数条の作業箇所に作用する複数の対地作業部が備えられた水田作業部と、を備え、前記複数の対地作業部のうちの一部の対地作業部を作用状態と停止状態とに切り換える端数条クラッチを、前記自走車と前記水田作業部との一方に設けた水田作業機に関する。
【背景技術】
【０００２】
上記した水田作業機は、複数の対地作業部のうちの一部の対地作業部を端数条クラッチによって作用状態と停止状態とに切り換ることにより、作業すべき条数を変更できるようにしたものである。
【０００３】
この種の水田作業機として、従来、例えば特許文献１に示される施肥装置付き田植機があった。この田植機では、自走車体の後部に連結された苗植付装置（水田作業部に相当）が備えられ、苗植付装置に複数の苗植付機構（対地作業部に相当）、及び少数条植えクラッチ（端数条クラッチに相当）が備えられ、少数条植えクラッチを操作ケーブルを介して操作するクラッチレバーが自走車に設けられている。
【先行技術文献】
【特許文献】
【０００４】
【特許文献１】特開２００３−３１００１７号公報
【発明の概要】
【発明が解決しようとする課題】
【０００５】
端数条クラッチの操作部とクラッチレバーとを連動連結するのに、自走車と水田作業部とにわたって配備した操作ケーブルによって連動連結すれば、水田作業部の昇降に伴って操作ケーブルが撓むことにより、端数条クラッチとクラッチレバーとの連動系に、水田作業部の昇降を許容する特別な手段を備えずに済む。
操作ケーブルをリンク機構に沿わせた場合、リンク機構に付属する部材と操作ケーブルリンクとが干渉するなどの問題が生じ易い。
【０００６】
本発明の目的は、リンク機構などと操作ケーブルとの干渉を回避できる水田作業機を提供することにある。
【課題を解決するための手段】
【０００７】
本第１発明による水田作業機では、
自走車と、前記自走車の後部にリンク機構を介して下降作業状態と上昇非作業状態とに昇降操作できるように連結され、圃場における複数条の作業箇所に作用する複数の対地作業部が備えられた水田作業部と、を備え、
前記複数の対地作業部のうちの一部の対地作業部を作用状態と停止状態とに切り換える端数条クラッチを、前記自走車と前記水田作業部との一方に設け、
前記端数条クラッチを切換え操作するクラッチレバーを、前記自走車と前記水田作業部との他方に設け、
前記端数条クラッチの操作部と前記クラッチレバーとを連動連結する操作ケーブルを備え、
前記操作ケーブルは、前記リンク機構を車体横外側方向に迂回する迂回部位を備えた状態で前記自走車と前記水田作業部とにわたって配備されている。
【０００８】
本第１発明の構成によると、操作ケーブルが迂回部位によってリンク機構を車体横外側方向に迂回することにより、車体上方向に迂回する操作ケーブルを採用した場合のように、自走車から水田作業部に対する作業を行なう際の障害物に迂回部位がなることを回避しながら、操作ケーブルがリンク機構やリンク機構の付属部材に触れないように操作ケーブルとリンク機構とを十分に離間させることができる。
【０００９】
また、操作ケーブルをリンク機構に沿わせて配備するのに比べ、操作ケーブルの屈曲半径を大にでき、操作ケーブルの作動抵抗を小に抑制できる。
【００１０】
従って、本第１発明によると、端数条クラッチとクラッチレバーとの連動連結に操作ケーブルを採用するものでありながら、かつ水田作業部に対する自走車からの作業を操作ケーブルによる障害がなくて行い易いものでありながら、操作ケーブルにリンク機構などへの接触を発生させず、操作ケーブルの使用寿命を向上できる。また、端数条クラッチの操作を軽くできる。
【００１１】
本第２発明では、前記迂回部位が、前記水田作業部の前記下降作業状態において、水平又はほぼ水平になる。
【００１２】
水田作業部が昇降操作されると、操作ケーブルの水田作業部側が自走車側を揺動支点にして昇降し、水田作業部側が前後方向に変位する。本第２発明によると、水田作業部が下降作業状態において広い調節範囲にわたって昇降調節されても、昇降調節に伴う操作ケーブルの水田作業部側の前後変位量を比較的小量に済ませることができ、操作ケーブルの劣化を防止や抑制できる。
【００１３】
本第３発明では、前記迂回部位における車体横外側端が、車体横方向で前記自走車の横外側端と同じ又はほぼ同じ箇所に位置する。
【００１４】
本第３発明によると、操作ケーブルの車体横外側への突出を回避や抑制しながら、操作ケーブルの迂回部位がリンク機構から離間する距離を極力長くすることができる。
【００１５】
本第４発明では、前記端数条クラッチを複数、備え、前記操作ケーブルとして、前記複数の端数条クラッチの操作部を前記クラッチレバーに連動連結する複数の操作ケーブルを備え、前記複数の操作ケーブルが前記リンク機構を車体左横外側方向又は車体右横外側方向の同一方向に迂回している。
【００１６】
本第４発明によると、複数本の操作ケーブルをそれぞれの迂回部位によってリンク機構を車体横外側方向に迂回した状態で配備するのに、車体左横外側方向又は車体右横外側方向の同一方向に纏まって迂回したコンパクトな状態で配備できる。
【００１７】
本第５発明では、前記クラッチレバーとして、前記複数の操作ケーブルが各別に連結された複数のクラッチレバーを備えている。
【００１８】
本第５発明によると、複数の端数条クラッチそれぞれの操作部にクラッチレバーが操作ケーブルによって常に連動連結されたものにでき、複数の端数条クラッチのうちの所定の端数条クラッチを操作するのに、対応するクラッチレバーを操作するだけで迅速に操作できる。
【００１９】
本第６発明では、前記水田作業部に、車体横方向に並んだ複数の苗植付機構と、前記複数の苗植付機構に苗供給する苗載台と、を備え、前記複数の対地作業部として、前記複数の苗植付機構による苗植箇所の付近に各別に粉粒体供給する複数の粉粒体供給部を備え、
前記自走車に、粉粒体タンクから粉粒体を繰り出す複数の繰出機構を設けるとともに、前記複数の繰出機構それぞれを、繰り出した粉粒体を前記複数の粉粒体供給部のうちの一部の粉粒体供給部に供給するように構成し、前記端数条クラッチとして、前記複数の繰出機構に各別に作用するように構成して、かつ前記繰出機構への伝動を入り切りするように構成して前記自走車に設けられた複数の端数条繰出クラッチを備え、前記クラッチレバーを前記苗載台の裏面側に支持してある。
【００２０】
本第６発明によると、苗植付機構による苗植作業と、植付苗の付近に肥料などを供給する粉粒体供給作業とを行うことができる。複数の繰出機構それぞれへの伝動を端数条繰出クラッチによって入り切りすることにより、粉粒体供給の作業条数を変更できる。粉粒体供給の作業条数を変更するのに、自走車から後方を見ながらクラッチレバーを操作することができ、適切に変更操作できる。
【００２１】
本第７発明では、前記苗載台に、苗を前記苗植付機構に向けて縦送りする縦送りベルトを設け、前記クラッチレバーは、前記縦送りベルトよりも苗載台上端側に位置している。
【００２２】
本第７発明によると、水田作業部を下降作業状態に下降させた状態でのクラッチレバーの高さを自走車から見易い高さにでき、クラッチレバーを自走車から適確に操作し易い。
【００２３】
本第８発明では、前記クラッチレバーと前記繰出機構とが、前記水田作業部の前記下降作業状態において、同じ高さに位置する。
【００２４】
本第８発明によると、水田作業部を下降作業状態にした状態において、操作ケーブルのクラッチレバー側と繰出機構側との高さが同じ又は同じに近いに高さになり、水田作業部の下降作業状態での操作ケーブルの迂回部位を水平又は水平に近い状態にできる。従って、水田作業部が下降作業状態において広い調節範囲にわたって昇降調節されても、昇降調節に伴う操作ケーブルの水田作業部側の前後変位量を比較的小量に済ませることができ、操作ケーブルの劣化を防止や抑制できる。
【００２５】
本第９発明では、前記端数条繰出クラッチによって伝動が入り切り操作される前記一部の繰出機構に対応する前記苗植付機構への伝動を入り切りする端数条植クラッチを前記水田作業部に備え、前記端数条植クラッチの操作部と前記クラッチレバーとを連動連結する植付操作ケーブルを備え、前記操作ケーブルのうちの前記迂回部位と前記クラッチレバーとにわたる部分は、前記苗載台の裏面側に苗載台横方向に配備され、前記植付操作ケーブルは、前記苗載台の裏面側に苗載台上下方向に配備されている。
【００２６】
本第９発明によると、クラッチレバーを操作するだけで繰出機構及び繰出機構に対応する苗植付機構の切換え操作ができ、苗植え及び粉粒体供給の作業条数を変更できる。操作ケーブルのうちの迂回部位とクラッチレバーとにわたる部位が苗載台の裏面側に苗載台横方向に位置し、植付操作ケーブルが苗載台の裏面側に苗載台上下方向に位置し、操作ケーブル及び植付操作ケーブルを苗載台の裏面側にコンパクトに配備した、かつ操作ケーブル及び植付操作ケーブルに備える必要な長さを極力短く抑えた簡素な構造で済む。
【００２７】
本第１０発明では、前記操作ケーブルのうちの前記迂回部位と前記クラッチレバーとにわたる部分と、前記植付操作ケーブルとが、車体前後方向視で交差している。
【００２８】
本第１０発明によると、操作ケーブル及び植付操作ケーブルを苗載台の裏面側にコンパクトに配備しながら、操作レバーを操作することによって発生する操作力を操作ケーブル及び植付操作ケーブルに効率よく伝達できて、端数条クラッチ及び端数条植クラッチをスムーズに切換え操作できる。
【００２９】
本第１１発明による水田作業機では、
自走車と、前記自走車の後部にリンク機構を介して下降作業状態と上昇非作業状態とに昇降操作できるように連結され、圃場における複数条の作業箇所に作用する複数の対地作業部が備えられた水田作業部とを備え、
前記複数の対地作業部のうちの一部の対地作業部を作用状態と停止状態とに切り換える複数の端数条クラッチを、前記自走車と前記水田作業部との一方に設け、
前記複数の端数条クラッチを各別に切換え操作する複数のクラッチレバーを、前記自走車と前記水田作業部との他方に設け、
前記複数の端数条クラッチの操作部を前記複数のクラッチレバーに連動連結する複数の操作ケーブルを備え、
前記複数の操作ケーブルは、前記リンク機構を車体左外側方向または車体右外側方向の同一方向に迂回する迂回部位を備えた状態で前記自走車と前記水田作業部とにわたって配備され、
前記複数の操作ケーブルのうちの前記迂回部位が、前記水田作業部の前記下降作業状態において、水平又はほぼ水平になり、
前記複数の操作ケーブルの前記迂回部位における車体横外側端が、車体横方向で前記自走車の横外側端と同じ又はほぼ同じ箇所に位置する。
【００３０】
本第１１発明は、本第１〜第５発明が備える作用効果と同じ作用効果を備える。
【００３１】
本第１２発明による水田作業機では、
自走車と、前記自走車の後部にリンク機構を介して下降作業状態と上昇非作業状態とに昇降操作できるように連結された水田作業部と、を備え、
前記水田作業部は、車体横方向に並んだ複数の苗植付機構、前記複数の苗植付機構に苗供給する苗載台、及び前記複数の苗植付機構による苗植箇所の付近に各別に粉粒体供給する複数の粉粒体供給部を備え、
前記苗載台は、載置された苗を前記苗植付機構に向けて縦送りする縦送ベルトを備え、
前記複数の苗植付機構のうちの一部の苗植付機構への伝動を入り切りすることによって当該一部の苗植付機構を作用状態と停止状態とに切換える複数の端数条植クラッチを、前記水田作業部に備え、
前記自走車は、粉粒体タンクから粉粒体を繰出し、繰出した粉粒体を前記複数の粉粒体供給部のうちの一部の粉粒体供給部に供給する複数の繰出機構、及び、前記複数の繰出機構への伝動を各別に入り切りすることによって前記粉粒体供給部を作用状態と停止状態とに切換える複数の端数条繰出クラッチを備え、
前記複数の端数条植クラッチを各別に切換え操作し、かつ前記端数条繰出クラッチを各別に切換え操作する複数のクラッチレバーを、前記苗載台の裏面側に前記縦送ベルトよりも苗載台上端側に位置させて支持し、
前記複数のクラッチレバーそれぞれは、前記端数条植クラッチ、及び当該端数条植クラッチに対応する前記端数条繰出クラッチを切り換え操作するように構成し、
前記クラッチレバーと前記繰出機構とが、前記水田作業部の前記下降作業状態において、同じ高さに位置し、
前記複数のクラッチレバーを前記複数の端数条繰出クラッチの操作部に各別に連動連結する複数の操作ケーブルを備え、
前記複数のクラッチレバーを前記複数の端数条植クラッチの操作部に各別に連動連結する複数の植付操作ケーブルを備え、
前記複数の操作ケーブルは、前記リンク機構を車体左横外側方向又は車体右横外側方向の同一方向に迂回する迂回部位を備えた状態で前記自走車と前記水田作業部とにわたって配備され、
前記迂回部位が、前記水田作業部の前記下降作業状態において、水平又はほぼ水平になり、
前記迂回部位における車体横外側端が、車体横方向で前記自走車の横外側端と同じまたはほぼ同じ箇所に位置し、
前記操作ケーブルのうちの前記迂回部位と前記クラッチレバーとにわたる部分は、前記苗載台の裏面側に苗載台横方向に配備され、
前記植付操作ケーブルは、前記苗載台の裏面側に苗載台上下方向に配備され、
前記操作ケーブルのうちの前記迂回部位と前記クラッチレバーとにわたる部分と、前記植付操作ケーブルとが、車体前後方向視で交差している。
【００３２】
本第１２発明は、本第１〜第１０発明が備える作用効果と同じ作用効果を備える。
【図面の簡単な説明】
【００３３】
【図１】水田作業機の全体を示す側面図である。
【図２】水田作業機の全体を示す平面図である。
【図３】粉粒体供給装置を示す後面図である。
【図４】粉粒体供給装置を示す縦断側面図である。
【図５】クラッチ操作構造を示す正面図である。
【図６】クラッチ切状態でのクラッチ操作構造を示す説明図である。
【図７】クラッチ入状態でのクラッチ操作構造を示す説明図である。
【図８】（ａ）は、入状態での端数条繰出クラッチを示す平面図、（ｂ）は、切状態での端数条繰出クラッチを示す平面図である。
【図９】（ａ）は、入状態でのクラッチレバーを示す正面図、（ｂ）は、切状態でのクラッチレバーを示す正面図である。
【図１０】粉粒体供給装置を駆動するための伝動構造を示す概略図である。
【図１１】水田作業部を駆動するための伝動構造を示す概略図である。
【発明を実施するための形態】
【００３４】
以下、本発明の実施の形態を図面に基づいて説明する。
図１は、本発明の実施例に係る水田作業機の全体を示す側面図である。図２は、本発明の実施例に係る水田作業機の全体を示す平面図である。図１，２に示すように、本発明の実施例に係る水田作業機は、車体フレーム１の下部に左右一対の前車輪２，２及び左右一対の後車輪３，３が装備された自走車を備えている。自走車の後部に、粉粒体タンク１１が備えられた粉粒体供給装置１０を配備してある。自走車の後部に、車体横方向に並んだ六つの苗植付機構２７、及び車体横方向に並んだ六つの対地作業部としての粉粒体供給部２２が備えられた水田作業部２０を連結してある。
【００３５】
水田作業機は、水田作業部２０を下降作業状態に下降させた状態で自走車を走行させることにより、苗植作業と施肥作業とを行うものであり、詳しくは、次の如く構成してある。
【００３６】
自走車は、車体前部に配備されたエンジン４、エンジン４からの駆動力を入力して変速する走行用かつ作業用のミッション５を備え、エンジン４からの駆動力をミッション５から前車輪２及び後車輪３に伝達して前車輪２及び後車輪３を駆動して走行するように、四輪駆動車に構成してある。自走車は、車体後部に配備された運転座席６ａを有した運転部６を備え、運転部６に搭乗して操縦するように構成してある。運転部６には、運転座席６ａの前方に回転操作できるように配備され、前車輪２を操向操作するステアリングハンドル６ｂを備えてある。自走車体の後部に、粉粒体タンク１１に粉粒体を供給する作業や、水田作業部２０に苗供給する作業などに使用する作業用スペース７を設けてある。作業用スペース７には、運転座席６ａの両横側方と後方とにわたって位置する作業用ステップ７ａ、及び運転座席６ａの両横側方に位置する手摺７ｂを備えてある。
【００３７】
水田作業部２０について説明する。
図１に示すように、水田作業部２０は、車体フレーム１から後方に上下揺動するように延出されたリンク機構８に支持され、リンク機構８を昇降シリンダ８ａによって揺動操作することにより、接地フロート２３が圃場面に下降して接地した下降作業状態と、接地フロート２３が圃場面から高く上昇した上昇非作業状態とにわたって昇降操作できるようになっている。
【００３８】
水田作業部２０は、リンク機構８に前端側が支持された作業部フレーム２４を備えている。作業部フレーム２４は、エンジン４からの駆動力が回転軸９を介して伝達されるフィードケース２５、車体横方向に所定間隔を隔てて並んだ三つの植付駆動ケース２６を備えている。三つの植付駆動ケース２６それぞれの後端部の両横側に苗植付機構２７を装着してある。作業部フレーム２４の前部の上方に、苗載台２８を下端側ほど後方に位置する傾斜姿勢で設けてある。作業部フレーム２４の下部に、車体横方向に所定間隔を隔てて並ぶ三つの接地フロート２３を装備してある。六つの苗植付機構２７それぞれの横付近に一つずつ位置する状態で車体横方向に並んだ六つの対地作業部としての粉粒体供給部２２を、三つの接地フロート２３に振り分けて支持してある。
【００３９】
各苗植付機構２７は、二つの植付アーム２７ａを備え、フィードケース２５から植付駆動ケース２６に伝達される駆動力によって駆動され、二つの植付アーム２７ａそれぞれに備えてある植付爪の先端が上下に長い回動軌跡を描きながら上下に往復移動する苗植運動を行なう。従って、各苗植付機構２７は、二つの植付アーム２７ａによって交互に、苗載台２８の下端部において苗載台上のマット状苗から一株分の植付苗を取出して、取出した植付苗を圃場に下降搬送し、接地フロート２３によって整地された泥土部に植え付ける。
【００４０】
苗載台２８には、六つの苗植付機構２７に供給するためのマット状苗を車体横方向に並べて載置する六つの苗載置部２８ａを備えてある。苗載台２８は、作業部フレーム２４に備えられた支持部及び支柱２４ａに車体横方向に往復移動するように支持されている。苗載台２８は、苗載台２８とフィードケース２５とにわたって設けられた横送り機構により、苗植付機構２７の苗植運動に連動させて車体横方向に往復移送されて、マット状苗を苗植付機構２７に対して車体横方向に往復移送する。これにより、各苗植付機構２７が苗載台２８に載置されたマット状苗の下端部の横一端側から他端側に向けて植付苗を取出していく。
【００４１】
苗載台２８の六つの苗載置部２８ａそれぞれに、縦送りベルト２８ｂを装備してある。各苗載置部２８ａの縦送りベルト２８ｂは、苗載台２８が横移送の左右のストロークエンドに到達すると、苗載台２８とフィードケース２５とにわたって設けてある縦送り駆動機構２９（図１１参照）によって設定ストロークだけ回転駆動され、苗植付機構２７によって取出される苗の縦方向での長さに相当する長さだけマット状苗を苗植付機構２７に向けて縦送りする。
【００４２】
六つの粉粒体供給部２２それぞれは、接地フロート２３から下向きに突設され、かつ後述する粉粒体供給管１２に接続された作溝具を備え、苗植付機構２１による苗植箇所の横付近で圃場面に溝を形成し、粉粒体供給装置１０によって供給される肥料を形成した溝に供給する。肥料を供給した後の溝は、接地フロート２３に支持してある覆土部材によって溝横側の泥土が押し寄せられて埋め戻される。
【００４３】
図１１は、水田作業部２０を駆動するための伝動構造を示す概略図である。図１１に示すように、回転軸９からフィードケース２５に入力された駆動力がフィードケース２５に内装されたミッションによって植付出力軸２５ａに伝達され、この植付出力軸２５ａから三つの植付駆動ケース２６それぞれの前端部に入力されるように構成してある。各植付駆動ケース２６において、植付駆動ケース２６に入力された駆動力が、端数条植クラッチ６０を有した伝動機構によって一対の苗植付機構２７，２７に伝達されるように構成してある。
【００４４】
従って、左端の植付駆動ケース２６に内装された端数条植クラッチ６０は、入り切り操作されることにより、六つの苗植付機構２７のうちの一部の苗植付機構であって、左端の苗植付機構２７と、左端の苗植付機構２７に隣り合った苗植付機構２７との二つの苗植付機構２７（以下、左端側２条用の苗植付機構２７Ｌと呼称する。）への伝動を入り切りし、左端側２条用の苗植付機構２７を、苗植運動を行なう作用状態と、苗植運動を停止する停止状態とに切り換える。
【００４５】
右端の植付駆動ケース２６に内装された端数条植クラッチ６０は、入り切り操作されることにより、六つの苗植付機構２７のうちの一部の苗植付機構であって、右端の苗植付機構２７と、右端の苗植付機構２７に隣り合った苗植付機構２７との二つの苗植付機構２７（以下、右端側２条用の苗植付機構２７Ｒと呼称する。）への伝動を入り切りし、右端側２条用の苗植付機構２７Ｒを、苗植運動を行なう作用状態と、苗植運動を停止する停止状態とに切り換える。
【００４６】
中央の植付駆動ケース２６に内装された端数条植クラッチ６０は、入り切り操作されることにより、六つの苗植付機構２７のうちの一部の苗植付機構であって、左端側２条用の苗植付機構２７Ｌと、右端側２条用の苗植付機構２７Ｒとの間の二つの苗植付機構２７（以下、中央２条用の苗植付機構２７Ｎと呼称する。）への伝動を入り切りし、中央２条用の苗植付機構２７Ｎを、苗植運動を行なう作用状態と、苗植運動を停止する停止状態とに切り換える。
【００４７】
従って、以下において、左端の植付駆動ケース２６に内装された端数条植クラッチ６０を、左端側２条用の端数条植クラッチ６０Ｌと呼称し、中央の植付駆動ケース２６に内装された端数条植クラッチ６０を、中央２条用の端数条植クラッチ６０Ｎと呼称し、右端の植付駆動ケース２６に内装された端数条植クラッチ６０を、右端側２条用の端数条植クラッチ６０Ｒと呼称する。
【００４８】
縦送り駆動機構２９は、フィードケース２５の前部から横外向きに延出された縦送り出力軸６１と、苗載台２８の裏面側に回転操作できるように支持された苗載台横方向の縦送り駆動軸６２とを備えている。縦送り出力軸６１は、回転軸９からフィードケース２５に入力された駆動力によって回転駆動され、縦送り出力軸６１に支持してある左右一対の伝動アーム６３，６３を回転駆動する。縦送り駆動軸６２に受動アーム６４を一体回転するように支持し、縦送り駆動軸６２の三箇所に端数条縦送りクラッチ７０を装備してある。
【００４９】
つまり、苗載台２８が左右の横送りストロークエンドに到達すると、受動アーム６４が左右一対の伝動アーム６３，６３のうちの一方の伝動アーム６３に当接し、受動アーム６４が伝動アーム６３によって揺動操作されて、縦送り駆動軸６２が所定の回転角だけ駆動される。縦送り駆動軸６２が駆動されると、三つの端数条縦送りクラッチ７０のうちの左端の端数条縦送りクラッチ７０Ｌにより、六つ苗載置部２８ａのうちの左端の苗載置部２８ａに備えてある縦送りベルト２８ｂと、左端の苗載置部２８ａに隣り合った苗載置部２８ａに備えてある縦送りベルト２８ｂとの両縦送りベルト２８ｂ（以下、左端側２条用の縦送りベルト２８Ｌと呼称する。）に縦送り駆動軸６２の駆動力が伝達される。
【００５０】
縦送り駆動軸６２が駆動されると、三つの端数条縦送りクラッチ７０のうちの右端の端数条縦送りクラッチ７０Ｒにより、六つ苗載置部２８ａのうちの右端の苗載置部２８ａに備えてある縦送りベルト２８ｂと、右端の苗載置部２８ａに隣り合った苗載置部２８ａに備えてある縦送りベルト２８ｂとの両縦送りベルト２８ｂ（以下、右端側２条用の縦送りベルト２８Ｒと呼称する。）に縦送り駆動軸６２の駆動力が伝達される。縦送り駆動軸６２が駆動されると、三つの端数条縦送りクラッチ７０のうちの中央の端数条縦送りクラッチ７０Ｎにより、六つ苗載置部２８ａのうちの左端側二つの苗載置部２８ａと右端側二つの苗載置部２８ａとの間の二つの苗載置部２８ａに備えてある縦送りベルト２８ｂ（中央２条用の縦送りベルト２８Ｎと呼称する。）に縦送り駆動軸６２の駆動力が伝達される。
【００５１】
従って、三つの端数条縦送りクラッチ７０のうちの左端の端数条縦送りクラッチ７０は、入り切り操作されることにより、左端側２条用の苗植付機構２７Ｌに対応する左端側２条用の縦送りベルト２８Ｌへの伝動を入り切りし、左端側２条用の縦送りベルト２８Ｌを、苗縦送りを行なう作用状態と、苗縦送りを停止する停止状態とに切り換える。
【００５２】
三つの端数条縦送りクラッチ７０のうちの中央の端数条縦送りクラッチ７０は、入り切り操作されることにより、中央２条用の苗植付機構２７Ｎに対応する中央２条用の縦送りベルト２８Ｎへの伝動を入り切りし、中央２条用の縦送りベルト２８Ｎを、苗縦送りを行なう作用状態と、苗縦送りを停止する停止状態とに切り換える。
【００５３】
三つの端数条縦送りクラッチ７０のうちの右端の端数条縦送りクラッチ７０は、入り切り操作されることにより、右端側２条用の苗植付機構２７Ｒに対応する右端側２条用の縦送りベルト２８Ｒへの伝動を入り切りし、右端側２条用の縦送りベルト２８Ｒを、苗縦送りを行なう作用状態と、苗縦送りを停止した停止状態とに切り換える。
【００５４】
従って、以下において、三つの端数条縦送りクラッチ７０のうちの左端の端数条縦送りクラッチ７０を、左端側２条用の端数条縦送りクラッチ７０Ｌと呼称し、三つの端数条縦送りクラッチ７０のうちの中央の端数条縦送りクラッチ７０を、中央２条用の端数条縦送りクラッチ７０Ｎと呼称し、三つの端数条縦送りクラッチ７０のうちの右端の端数条縦送りクラッチ７０を、右端側２条用の端数条縦送りクラッチ７０Ｒと呼称する。
【００５５】
粉粒体供給装置１０について説明する。
図３は、粉粒体供給装置１０を示す後面図である。図４は、粉粒体供給装置１０を示す縦断側面図である。図１〜４に示すように、粉粒体供給装置１０は、自走車体のうちの運転座席６ａよりも後方の部位に配備してある。粉粒体供給装置１０は、供給装置フレーム１３に支持されている。供給装置フレーム１３は、左右一対の前支柱１３ａ，１３ａ及び左右一対の後支柱１３ｂ，１３ｂを介して車体フレーム１に連結されている。供給装置フレーム１３は、後述する繰出機構１４の上端部を前後側から挟んで支持する前後一対の車体横向きの支持フレーム１３ｆ、１３ｒを備えている。
【００５６】
粉粒体供給装置１０は、車体横方向に長い形状に形成された一つの粉粒体タンク１１と、粉粒体タンク１１の下部に車体横方向に並べて連結された四つの繰出機構１４とを備えている。各繰出機構１４は、粉粒体タンク１１に車体横方向に並べて備えられた四つの底部１１ａのうちの一つの底部１１ａに上端側が連結された一つの繰出ケース１４ａを備えている。粉粒体タンク１１の四つの底部１１ａそれぞれの車体前後方向視での形状を、漏斗形状に形成してある。四つの底部１１ａそれぞれの左右の横壁１１ｂは、下端側ほど底部１１ａの内側に寄った傾斜壁に形成してある。
【００５７】
各繰出機構１４は、粉粒体タンク１１の貯留空間に内部が連通している前記繰出ケース１４ａを備える他、この繰出ケース１４ａの内部に回転駆動できるように設けられた繰出回転体１４ｂを備え、粉粒体タンク１１に貯留された粉粒状の肥料を回転する繰出回転体１４ｂによって繰出ケース内の下部に繰り出す。詳述すると、各繰出回転体１４ｂは、周面に回転方向に並べて形成された繰出凹部を備え、繰出凹部の容積によって設定される設定量ずつの繰出しによって、かつ繰出凹部の間隔によって繰出間隔が設定される間欠的な繰出しによって肥料の繰出しを行なう。
【００５８】
各繰出ケース１４ａの前側の下部に風導入口１４ｃを形成してある。各繰出ケース１４ａの風導入口１４ｃは、各繰出機構１４の前方に位置する車体横向きの一つの送風ダクト１５を介して電動式の送風ブロワ１６に接続してある。図１に示すように、送風ブロワ１６の吸気口から吸気ダクト１６ａをエンジン４の付近に延出してあり、送風ブロワ１６は、エンジン４の放熱などによって温度上昇した空気を吸引して搬送風を発生させる。
【００５９】
各繰出ケース１４ａの後側の下部に二つの粉粒体送出口１４ｄ，１４ｄを形成してある。四つの繰出機構１４のうちの左端の繰出機構１４Ｌにおいては、二つの粉粒体送出口１４ｄを六つの粉粒体供給部２２のうちの左端の粉粒体供給部２２と、この左端の粉粒体供給部２２に隣り合っている粉粒体供給部２２とに、２本の粉粒体供給管１２，１２によって各別に接続してある。
【００６０】
四つの繰出機構１４のうちの右端の繰出機構１４においては、二つの粉粒体送出口１４ｄ，１４ｄを六つの粉粒体供給部２２のうちの右端の粉粒体供給部２２と、この右端の粉粒体供給部２２に隣り合っている粉粒体供給部２２とに、２本の粉粒体供給管１２，１２によって各別に接続してある。
【００６１】
四つの繰出機構１４のうちの中央二つの繰出機構１４における左側の繰出機構１４において、繰出ケース１４ａに形成された二つの粉粒体送出口１４ｄ，１４ｄのうちの一方の粉粒体送出口１４ｄを、水田作業部２０の六つの粉粒体供給部２２のうち、左端側二つの粉粒体供給部２２と右端側二つの粉粒体供給部２２との間に位置する中央二つの粉粒体供給部２２における左の粉粒体供給部２２に粉粒体供給管１２によって接続してある。四つの繰出機構１４のうちの中央二つの繰出機構１４における右側の繰出機構１４において、繰出ケース１４ａに形成された二つの粉粒体送出口１４ｄ，１４ｄのうちの一方の粉粒体送出口１４ｄを、水田作業部２０の六つの粉粒体供給部２２のうち、左端側二つの粉粒体供給部２２と右端側二つの粉粒体供給部２２との間に位置する中央二つの粉粒体供給部２２における右の粉粒体供給部２２に粉粒体供給管１２によって接続してある。中央二つの繰出機構１４は、粉粒体供給管１２が接続されていない粉粒体送出口１４ｄから粉粒体を送出する機能を停止するように構成してある。
【００６２】
従って、四つの繰出機構１４のうちの左端の繰出機構１４及び右端の繰出機構１４は、一つの繰出ケース１４ａにおいて、繰出回転体１４ｂによって粉粒体タンク１１から肥料を繰出し、繰出した肥料を、送風ブロワ１６からの常温よりも高温の搬送風によって二つの粉粒体送出口１４ｄから２本の粉粒体供給管１２，１２に送出し、六つの粉粒体供給部２２のうちの横端の粉粒体供給部２２と、横端の粉粒体供給部２２に隣り合う粉粒体供給部２２とに供給する。
【００６３】
四つの繰出機構１４のうちの中央二つの繰出機構１４における左の繰出機構１４は、繰出回転体１４ｂによって粉粒体タンク１１から肥料を繰出し、繰出した粉粒体を、送風ブロワ１６からの常温よりも高温の搬送風によって粉粒体送出口１４ｄから粉粒体供給管１２に送出し、六つの粉粒体供給部２２のうちの中央二つの粉粒体供給部２２における左の粉粒体供給部２２に供給する。四つの繰出機構１４のうちの中央二つの繰出機構１４における右の繰出機構１４は、繰出回転体１４ｂによって粉粒体タンク１１から肥料を繰出し、繰出した粉粒体を、送風ブロワ１６からの常温よりも高温の搬送風によって粉粒体送出口１４ｄから粉粒体供給管１２に送出し、六つの粉粒体供給部２２のうちの中央二つの粉粒体供給部２２における右の粉粒体供給部２２に供給する。
【００６４】
図１０は、粉粒体供給装置１０を駆動するための伝動構造を示す概略図である。図１，１０に示すように、ミッション５から車体後部まで延出され、エンジン４からの駆動力によって回転駆動される車体前後向きの回転伝動軸３０を車体フレーム１の下方に設けてある。回転伝動軸３０の後端部に一体回転するように設けた下クランクアーム３１の駆動力を、車体上下向きの連動杆３２、この連動杆３２の上端側が連結された上クランクアーム３３を介し、この上クランクアーム３３が一端側に連結された車体横向きの回転軸３４に伝達するように構成してある。回転軸３４の駆動力を繰出量調節機構３５に入力し、繰出量調節機構３５の出力を車体横向きの分配伝動軸３６に伝達するように構成してある。分配伝動軸３６の駆動力を、四つの繰出機構１４それぞれの繰出回転体１４ｂに端数条繰出クラッチ４０及びギヤ連動機構３７を介して伝達するように構成してある。
【００６５】
図１，３に示すように、連動杆３２は、リンク機構８に備えられた左右一対のロワーリンク８ｂ，８ｂの間を車体上下方向に通るように配備してある。回転軸３４及び分配伝動軸３６は、繰出機構１４よりも後方に配置してある。回転軸３４と分配伝動軸３６とは、回転軸３４が分配伝動軸３６よりも後方に位置する状態で前後方向に並んでいる。回転軸３４及び分配伝動軸３６は、供給装置フレーム１３に備えられた軸支部に回転するように支持されている。
【００６６】
繰出量調節機構３５は、回転軸３４によって往復揺動操作される揺動リンク、揺動リンクの揺動によって分配伝動軸３６を回転操作するように、揺動リンクと分配伝動軸３６とを連動連結するリンク式連動機構を備えている。繰出量調節機構３５は、操作具３５ａが回転操作されることにより、揺動リンクの設定角の揺動に伴う分配伝動軸３６の回転角を増減調節し、繰出回転体１４ｂの単位時間当たりの駆動回転数を変更して繰出量を変更するようになっている。
【００６７】
図４，１０に示すように、各繰出機構１４に備えたギヤ連動機構３７は、繰出回転体１４ｂの回転支軸１７に一体回転するように支持された回転体駆動ギヤ３７ａと、回転体駆動ギヤ３７ａに噛み合った状態で分配伝動軸３６に相対回転するように支持された伝動ギヤ３７ｂと、を備えている。
【００６８】
図８に示すように、各繰出機構１４に備えた端数条繰出クラッチ４０は、分配伝動軸３６に支持されたクラッチ体４１と、クラッチ体４１と伝動ギヤ３７ｂとにわたって設けられたクラッチ本体４２と、を備えている。
【００６９】
クラッチ体４１の分配伝動軸３６に対する取付孔の形状が分配伝動軸３６の外周形状の六角形に相似した六角形であることにより、クラッチ体４１は、分配伝動軸３６と一体回転するように、かつ分配伝動軸３６に対してスライドするようになっている。クラッチ本体４２は、クラッチ体４１の一端側に設けられた伝動側のクラッチ爪と、伝動側のクラッチ爪に対する噛合い及び噛合い解除が可能な状態で伝動ギヤ３７ｂの側部に設けられた受動側のクラッチ爪とを備え、噛合い構造のクラッチ本体になっている。
【００７０】
各端数条繰出クラッチ４０は、供給装置フレーム１３の後側の支持フレーム１３ｒに連結ピン４３を介して支持された操作部４４と、分配伝動軸３６に支持されたバネ受体４５とクラッチ体４１との間に配置して分配伝動軸３６に装着された入り操作バネ４６とを備え、操作部４４が連結ピン４３の軸芯まわりに揺動操作されることにより、入状態と切状態とに切り換わる。
【００７１】
図４に示すように、操作部４４は、側面視形状が後方向きに開口したＵ字形状となるように構成され、後側の支持フレーム１３ｒの外側に前方から嵌っている。クラッチ体４１の外周部に環状の操作溝４１ａを形成してある。操作溝４１ａに先端側が入り込んだ操作ピン４４ａを操作部４４に備えてある。
【００７２】
図８（ａ）は、入状態での端数条繰出クラッチ４０を示す平面図である。図８（ａ）に示すように、操作部４４が連結ピン４３の軸芯まわりに揺動操作されて入位置になると、クラッチ体４１が入り操作バネ４６によって伝動ギヤ３７ｂが位置する側にスライド操作され、クラッチ本体４２の伝動側と受動側とのクラッチ爪が噛み合い状態になって、端数条繰出クラッチ４０が入状態になる。端数条繰出クラッチ４０は、入状態になると、クラッチ体４１と伝動ギヤ３７ｂとがクラッチ本体４２によって一体回転するように連結されることにより、分配伝動軸３６の駆動力を伝動ギヤ３７ｂに伝達して繰出回転体１４ｂを駆動する。
【００７３】
図８（ｂ）は、切状態での端数条繰出クラッチ４０を示す平面図である。図８（ｂ）に示すように、操作部４４が連結ピン４３の軸芯まわりに揺動操作されて切位置になると、クラッチ体４１が操作ピン４４ａによって入り操作バネ４６に抗して伝動ギヤ３７ｂから離れる側にスライド操作され、クラッチ本体４２の伝動側と受動側とのクラッチ爪の噛み合いが解除されて、端数条繰出クラッチ４０が切状態になる。端数条繰出クラッチ４０は、切状態になると、クラッチ体４１と伝動ギヤ３７ｂとのクラッチ本体４２による連結が解除されることにより、分配伝動軸３６から伝動ギヤ３７ｂへの伝動を絶って繰出回転体１４ｂを停止させる。
【００７４】
従って、四つの繰出機構１４のうちの左端の繰出機構１４は、粉粒体タンク１１から繰出した粉粒体を左端側二つの粉粒体供給部２２に供給するように、左端側２条用の繰出機構１４を構成している。四つの繰出機構１４のうちの中央二つの繰出機構１４は、粉粒体タンク１１から繰出した粉粒体を中央二つの粉粒体供給部２２に供給するように、中央２条用の繰出機構１４を構成している。四つの繰出機構１４のうちの右端の繰出機構１４は、粉粒体タンク１１から繰出した粉粒体を右端側二つの粉粒体供給部２２に供給するように、右端側２条用の繰出機構１４を構成している。
【００７５】
以下において、四つの繰出機構１４のうちの左端の繰出機構１４を、左端側２条用の繰出機構１４Ｌと呼称し、四つの繰出機構１４のうちの中央二つの繰出機構１４を、中央２条用の繰出機構１４Ｎと呼称し、四つの繰出機構１４のうちの右端の繰出機構１４を、右端側２条用の繰出機構１４Ｒと呼称する。
【００７６】
四つの端数条繰出クラッチ４０のうちの左端の端数条繰出クラッチ４０は、入り切り操作されることにより、左端側２条用の苗植付機構２７Ｌに対応する左端側２条用の繰出機構１４Ｌへの伝動を入り切して、左端側二つの粉粒体供給部２２を圃場に対する肥料供給を行なう作用状態と、圃場に対する粉粒体供給を停止する停止状態とに切り換える。従って、左端の端数条繰出クラッチ４０は、左端側２条用の端数条繰出クラッチ４０を構成する。
【００７７】
四つの端数条繰出クラッチ４０のうちの中央二つの端数条繰出クラッチ４０は、共に入状態になるように、共に切状態になるように入り切り操作されることにより、中央２条用の苗植付機構２７Ｎに対応する中央２条用の繰出機構１４Ｎへの伝動を入り切して、中央二つの粉粒体供給部２２を圃場に対する肥料供給を行なう作用状態と、圃場に対する粉粒体供給を停止する停止状態とに切り換える。従って、中央二つの端数条繰出クラッチ４０は、中央２条用の端数条繰出クラッチ４０を構成する。
【００７８】
四つの端数条繰出クラッチ４０のうちの右端の端数条繰出クラッチ４０は、入り切り操作されることにより、右端側２条用の苗植付機構２７Ｒに対応する右端側２条用の繰出機構１４Ｒへの伝動を入り切し、右端側二つの粉粒体供給部２２を、圃場に対する肥料供給を行なう作用状態と、圃場に対する粉粒体供給を停止する停止状態とに切り換える。従って、右端の端数条繰出クラッチ４０は、右端側２条用の端数条繰出クラッチ４０を構成する。
【００７９】
従って、以下において、四つの端数条繰出クラッチ４０のうちの左端の端数条繰出クラッチ４０を、左端側２条用の端数条繰出クラッチ４０Ｌ（端数条クラッチに相当）と呼称し、四つの端数条繰出クラッチ４０のうちの中央二つの端数条繰出クラッチ４０によって構成される端数条繰出クラッチを中央２条用の端数条繰出クラッチ４０Ｎ（端数条クラッチに相当）と呼称し、四つの端数条繰出クラッチ４０のうちの右端の端数条繰出クラッチ４０を、右端側２条用の端数条繰出クラッチ４０Ｒ（端数条クラッチに相当）と呼称する。
【００８０】
左端側２条用の端数条植クラッチ６０Ｌ、中央２条用の端数条植クラッチ６０Ｎ、右端側２条用の端数条植クラッチ６０Ｒ、左端側２条用の端数条縦送りクラッチ７０、中央２条用の端数条縦送りクラッチ７０Ｎ、右端側２条用の端数条縦送りクラッチ７０Ｒ、左端側２条用の端数条繰出クラッチ４０Ｌ、中央２条用の端数条繰出クラッチ４０Ｎ、右端側２条用の端数条繰出クラッチ４０Ｒは、図５に示す如く水田作業部２０に設けた三つのクラッチレバー５０を備えたクラッチ操作構造によって操作するように構成してある。クラッチ操作構造は、次の如く構成してある。
【００８１】
図１，５に示すように、三つのクラッチレバー５０は、苗載台２８の裏面側に配備してある。三つのクラッチレバー５０は、苗載台２８のうちの縦送りベルト２８ｂよりも苗載台上端側の部位に配備してある。三つのクラッチレバー５０は、水田作業部２０の下降作業状態において、左端側２条用の繰出機構１４Ｌ、中央２条用の繰出機構１４Ｒ、右端側２条用の繰出機構１４Ｒそれぞれと同じ高さに位置するように配備してある。詳述すると、三つのクラッチレバー５０それぞれの後述する操作ケーブル５１が連結される基部５０ａ（図９参照）と、左端側２条用の繰出機構１４Ｌ、中央２条用の繰出機構１４Ｎ、右端側２条用の繰出機構１４Ｒそれぞれが備える端数条繰出クラッチ４０Ｌ，４０Ｎ，４０Ｒとが、水田作業部２０の下降作業状態においてほぼ同じ高さに位置するように、三つクラッチレバー５０を配備してある。
【００８２】
三つのクラッチレバー５０それぞれは、三つのクラッチレバー５０それぞれに対応させて苗載台２８の裏面側に取付けられたレバーカバー５２の内面側に支軸５３を介して支持されている。各クラッチレバー５０の操作部５０ｂは、レバーカバー５２に形成された開口５２ａからカバー外に突出しており、各クラッチレバー５０は、操作部５０ｂによって、支軸５３の軸芯を揺動軸芯Ｐとして入位置［ＯＮ］と切位置［ＯＦＦ］とにわたって揺動操作するように構成してある。
【００８３】
図５，６，９に示すように、三本のクラッチレバー５０のうちの左端のクラッチレバー５０Ｌは、左端側２条用の端数条繰出クラッチ４０Ｌの操作部４４に対して、水田作業部２０と自走車とにわって配備した三本の操作ケーブル５１のうちの左用の操作ケーブル５１Ｌによって連動連結してある。左端のクラッチレバー５０Ｌは、左端側２条用の端数条植クラッチ６０Ｌの操作部６０ａ及び左端側２条用の端数条縦送りクラッチ７０Ｌの操作部７０ａに対して、苗載台２８の裏面側に配備した三本の植付操作ケーブル７１のうちの左用の植付操作ケーブル７１Ｌによって連動連結してある。
【００８４】
左端のクラッチレバー５０Ｌと、左端側２条用の端数条繰出クラッチ４０Ｌ、左端側２条用の端数条植クラッチ６０Ｌ及び左端側２条用の端数条縦送りクラッチ７０Ｌとの連動連結は、具体的には、次の如く構成してある。
【００８５】
左端のクラッチレバー５０Ｌの基部５０ａに左用の操作ケーブル５１Ｌにおけるインナーケーブル５１ａの一端側を連結し、このインナーケーブル５１ａの他端側を左端側２条用の端数条繰出クラッチ４０Ｌの操作部４４に連結してある。左端のクラッチレバー５０Ｌの基部５０ａに左用の植付操作ケーブル７１Ｌにおけるインナーケーブル７１ａの一端側を連結してある。左用の植付操作ケーブル７１Ｌの他端側に備えられた一対の分岐ケーブル部７１ｂ，７１ｂのうちの一方の分岐ケーブル部７１ｂにおけるインナーケーブル７１ａを左端側２条用の端数条植クラッチ６０Ｌの操作部６０ａに連結してある。一対の分岐ケーブル部７１ｂ，７１ｂのうちの他方の分岐ケーブル部７１ｂにおけるインナーケーブル７１ａを左端側２条用の端数条縦送りクラッチ７０Ｌの操作部７０ａに連結してある。
【００８６】
図７に示すように、左端のクラッチレバー５０Ｌが入位置［ＯＮ］に操作されると、左用の植付操作ケーブル７１Ｌのインナーケーブル７１ａが緩め操作され、一方の分岐ケーブル部７１ｂにおいて、インナーケーブル７１ａが左端側２条用の端数条植クラッチ６０Ｌの操作部６０ａを端数条植クラッチ６０Ｌに備えてある入り操作バネによって入側に切換え操作し、他方の分岐ケーブル部７１ｂにおいて、インナーケーブル７１ａが左端側２条用の端数条縦送りクラッチ７０Ｌの操作部７０ａを端数条縦送りクラッチ７０Ｌに備えてある入り操作バネによって入側に切換え操作する。また、左用の操作ケーブル５１Ｌのインナーケーブル５１ａが緩め操作されて左側２条用の端数条繰出クラッチ４０Ｌの操作部４４を入り操作バネ４６によって入側に切換え操作する。従って、左端のクラッチレバー５０Ｌを入位置［ＯＮ］に操作することにより、左端側２条用の端数条植クラッチ６０Ｌ及び左端側２条用の端数条縦送りクラッチ７０Ｌを入状態に切換え操作でき、かつ左側２条用の端数条繰出クラッチ４０Ｌを入状態に切換え操作できる。
【００８７】
図６に示すように、左端のクラッチレバー５０Ｌが切位置［ＯＦＦ］に操作されると、左用の植付操作ケーブル７１Ｌのインナーケーブル７１ａが引張り操作され、一方の分岐ケーブル部７１ｂにおいて、インナーケーブル７１ａが左端側２条用の端数条植クラッチ６０Ｌの操作部６０ａを入り操作バネに抗して切側に切換え操作し、他方の分岐ケーブル部７１ｂにおいて、インナーケーブル７１ａが左端側２条用の端数条縦送りクラッチ７０Ｌの操作部７０ａを入り操作バネに抗して切側に切換え操作する。また、操作ケーブル５１Ｌのインナーケーブル５１ａが引張り操作されて左側２条用の端数条繰出クラッチ４０Ｌの操作部４４を入り操作バネ４６に抗して切側に切換え操作する。従って、左端のクラッチレバー５０Ｌを切位置［ＯＦＦ］に操作することにより、左端側２条用の端数条植クラッチ６０Ｌ及び左端側２条用の端数条縦送りクラッチ７０Ｌを切状態に切換え操作でき、かつ左側２条用の端数条繰出クラッチ４０Ｌを切状態に切換え操作できる。
【００８８】
三本のクラッチレバー５０のうちの中央のクラッチレバー５０Ｎは、中央２条用の端数条繰出クラッチ４０Ｎの操作部４４に対して、水田作業部２０と自走車とにわって配備した三本の操作ケーブル５１のうちの中用の操作ケーブル５１Ｎによって連動連結してある。中央のクラッチレバー５０Ｎは、中央２条用の端数条植クラッチ６０Ｎの操作部６０ａと中央２条用の端数条縦送りクラッチ７０Ｎの操作部７０ａに対して、苗載台２８の裏面側に配備した三本の植付操作ケーブル７１のうちの中用の植付操作ケーブル７１Ｎによって連動連結してある。中央２条用の端数条繰出クラッチ４０Ｎを構成する一対の端数条繰出クラッチ４０の操作部４４は、連動ロッド７２によって連動連結してある。
【００８９】
中央のクラッチレバー５０Ｎと、中央２条用の端数条繰出クラッチ４０Ｎ、中央２条用の端数条植クラッチ６０Ｎ及び中央２条用の端数条縦送りクラッチ７０Ｎとを連結する具体的な連動構造は、左端のクラッチレバー５０Ｌの連結構造と同じ構成を備えている。
【００９０】
図７に示すように、中央のクラッチレバー５０Ｎが入位置［ＯＮ］に操作されると、左端のクラッチレバー５０Ｌが入位置［ＯＮ］に操作された場合の左用の植付操作ケーブル７１Ｌ及び左用の操作ケーブル５１Ｌと同様に、中用の植付操作ケーブル７１Ｎが中央２条用の端数条植クラッチ６０Ｎの操作部６０ａ及び中央２条用の端数条縦送りクラッチ７０Ｎの操作部７０ａを入り操作バネによって入側に切換え操作し、中用の操作ケーブル５１Ｎが中央２条用の端数条繰出クラッチ４０Ｎの操作部４４を入り操作バネ４６によって入側に切換え操作する。従って、中央のクラッチレバー５０Ｎを入位置［ＯＮ］に操作することにより、中央２条用の端数条植クラッチ６０Ｎ及び中央２条用の端数条縦送りクラッチ７０Ｎを入状態に切換え操作でき、かつ中央２条用の端数条繰出クラッチ４０Ｎを入状態に切換え操作できる。
【００９１】
図６に示すように、中央のクラッチレバー５０Ｎが切位置［ＯＦＦ］に操作されると、左端のクラッチレバー５０Ｌが切位置［ＯＦＦ］に操作された場合の左用の植付操作ケーブル７１Ｌ及び左用の操作ケーブル５１Ｌと同様に、中用の植付操作ケーブル７１Ｎが中央２条用の端数条植クラッチ６０Ｎの操作部６０ａ及び中央２条用の端数条縦送りクラッチ７０Ｎの操作部７０ａを入り操作バネに抗して切側に切換え操作し、中用の操作ケーブル５１Ｎが中央２条用の端数条繰出クラッチ４０Ｎの操作部４４を入り操作バネ４６に抗して入側に切換え操作する。従って、中央のクラッチレバー５０Ｎを切位置［ＯＦＦ］に操作することにより、中央２条用の端数条植クラッチ６０Ｎ及び中央２条用の端数条縦送りクラッチ７０Ｎを切状態に切換え操作でき、かつ中央２条用の端数条繰出クラッチ４０Ｎを切状態に切換え操作できる。
【００９２】
三本のクラッチレバー５０のうちの右端のクラッチレバー５０Ｒは、右端側２条用の端数条繰出クラッチ４０Ｒの操作部４４に対して、水田作業部２０と自走車とにわって配備した三本の操作ケーブル５１のうちの右用の操作ケーブル５１Ｒによって連動連結し、右端側２条用の端数条植クラッチ６０Ｒの操作部６０ａと右端側２条用の端数条縦送りクラッチ７０Ｒの操作部７０ａとに対して、苗載台２８の裏面側に配備した三本の植付操作ケーブル７１のうちの右用の植付操作ケーブル７１Ｒによって連動連結してある。
【００９３】
右端のクラッチレバー５０Ｒと、右端側２条用の端数条繰出クラッチ４０Ｒ、右端側２条用の端数条植クラッチ６０Ｒ及び右端側２条用の端数条縦送りクラッチ７０Ｒとを連結する具体的な連動構造は、左端のクラッチレバー５０Ｌの連結構造と同じ構成を備えている。
【００９４】
図７に示すように、右端のクラッチレバー５０Ｒが入位置［ＯＮ］に操作されると、左端のクラッチレバー５０Ｌが入位置［ＯＮ］に操作された場合の左用の植付操作ケーブル７１Ｌ及び左用の操作ケーブル５１Ｌと同様に、右用の植付操作ケーブル７１Ｒが右端２条用の端数条植クラッチ６０Ｒの操作部６０ａ及び右端側２条用の端数条縦送りクラッチ７０Ｒの操作部７０ａを入り操作バネによって入側に切換え操作し、右用の操作ケーブル５１Ｒが右端側２条用の端数条繰出クラッチ４０Ｒの操作部４４を入り操作バネ４６によって入側に切換え操作する。つまり、右端のクラッチレバー５０Ｒを入位置［ＯＮ］に操作することにより、右端側２条用の端数条植クラッチ６０Ｒ及び右端側２条用の端数条縦送りクラッチ７０Ｒを入状態に切換え操作でき、かつ右端側２条用の端数条繰出クラッチ４０Ｒを入状態に切換え操作できる。
【００９５】
図６に示すように、右端のクラッチレバー５０Ｒが切位置［ＯＦＦ］に操作されると、左端のクラッチレバー５０Ｌが切位置［ＯＦＦ］に操作された場合の左用の植付操作ケーブル７１Ｌ及び左用の操作ケーブル５１Ｌと同様に、右用の植付操作ケーブル７１Ｒが右端側２条用の端数条植クラッチ６０Ｒの操作部６０ａ及び右端側２条用の端数条縦送りクラッチ７０Ｒの操作部７０ａを入り操作バネに抗して切側に切換え操作し、右用の操作ケーブル５１Ｒが右端側２条用の端数条繰出クラッチ４０Ｒの操作部４４を入り操作バネ４６に抗して切側に切換え操作する。従って、右端のクラッチレバー５０Ｒを切位置［ＯＦＦ］に操作することにより、右端側２条用の端数条植クラッチ６０Ｒ及び右端側２条用の端数条縦送りクラッチ７０Ｒを切状態に切換え操作でき、かつ右端側２条用の端数条繰出クラッチ４０Ｒを切状態に切換え操作できる。
【００９６】
従って、三つのクラッチレバー５０を適切に操作すれば、６条植えの苗植作業と６条植えの植付苗に対する施肥作業とを行うことができ、あるいは４条植えの端数条植作業と４条植えの植付苗に対する施肥作業とを行うことができ、あるいは２条植えの端数条植作業と２条植えの植付苗とに対する施肥作業とを行うことができる。
【００９７】
すなわち、三つのクラッチレバー５０を入位置［ＯＮ］に操作すれば、左端側２条用の端数条植クラッチ６０Ｌ、中２条用の端数条植クラッチ６０Ｎ及び右端側２条用の端数条植クラッチ６０Ｒを入状態に操作できて左端側２条の苗植付機構２７Ｒ、中２条用の苗植付機構２７Ｎ及び右端側の苗植付機構２２Ｒが作用状態になる。そして、左端側２条用の端数条縦送りクラッチ７０Ｌ、中２条用の端数条縦送りクラッチ７０Ｎ及び右端側２条用の端数条縦送りクラッチ７０Ｒを入状態に操作できて左端側２条用の縦送りベルト２８Ｌ、中央２条用の縦送りベルト２８Ｎ及び右端側２条用の縦送りベルト２８Ｒが駆動されて六つの苗載置部２８ａにおける苗縦送りが行われ、６条植えの苗植作業をできる。そして、左端側２条用の端数条繰出クラッチ４０Ｌ、中２条用の端数条繰出クラッチ４０Ｎ及び右端側２条用の端数条繰出クラッチ４０Ｒを入状態に操作でき、左端側２条用の繰出機構１４Ｌ、中央２条用の繰出機構１４Ｎ及び右端側２条用の繰出機構１４Ｒが駆動されて左端側２条用の粉粒体供給部２２、中央２条用の粉粒体供給部２２及び右端側２条用の粉粒体供給部２２が作用状態になり、６条植えの植付苗それぞれに肥料供給する施肥作業をできる。
【００９８】
左端のクラッチレバー５０Ｌ及び中央のクラッチレバー５０Ｎを入位置［ＯＮ］に操作し、右端のクラッチレバー５０Ｒを切位置［ＯＦＦ］に操作すれば、左端側２条用の端数条植クラッチ６０Ｌ及び中２条用の端数条植クラッチ６０Ｎを入状態に操作できて左端側２条の苗植付機構２７及び中２条用の苗植付機構２７が作用状態になり、右端側２条用の端数条植クラッチ６０Ｒを切状態に操作できて右端側２条用の苗植付機構２７が停止状態になる。
【００９９】
そして、左端側２条用の端数条縦送りクラッチ７０Ｌ及び中２条用の端数条縦送りクラッチ７０Ｎを入状態に操作でき、左端側２条用の縦送りベルト２８Ｌ及び中央２条用の縦送りベルト２８Ｎが駆動されて左端側２条用の苗載置部２８ａ及び中央２条用の苗載置部２８ａにおける苗縦送りが行われ、右端側２条用の縦送りベルト２８Ｒが停止されて右端側２条用の苗載置部２８ａにおける苗縦送りが行われず、右端側の２条植えを停止した４条植えの苗植作業をできる。
【０１００】
そして、左端側２条用の端数条繰出クラッチ４０Ｌ及び中２条用の端数条繰出クラッチ４０Ｎを入状態に操作でき、左端側２条用の繰出機構１４Ｌ及び中央２条用の繰出機構１４Ｎが駆動されて左端側２条用の粉粒体供給部２２及び中央２条用の粉粒体供給部２２が作用状態になり、右端側２条用の端数条繰出クラッチ４０Ｒを切状態に操作でき、右端側２条用の繰出機構１４Ｒが停止して右端側２条用の粉粒体供給部２２が停止状態になり、左端側２条植えの植付苗及び中央２条植えの植付苗それぞれに肥料供給する施肥作業をできる。
【０１０１】
右端のクラッチレバー５０Ｒ及び中央のクラッチレバー５０Ｎを入位置［ＯＮ］に操作し、左端のクラッチレバー５０Ｌを切位置［ＯＦＦ］に操作すれば、右端側２条用の端数条植クラッチ６０Ｒ及び中２条用の端数条植クラッチ６０Ｎを入状態に操作できて右端側２条の苗植付機構２７及び中２条用の苗植付機構２７が作用状態になり、左端側２条用の端数条植クラッチ６０Ｌを切状態に操作できて左端側２条用の苗植付機構２７が停止状態になる。
【０１０２】
そして、右端側２条用の端数条縦送りクラッチ７０Ｒ及び中２条用の端数条縦送りクラッチ７０Ｎを入状態に操作でき、右端側２条用の縦送りベルト２８Ｒ及び中央２条用の縦送りベルト２８Ｎが駆動されて右端側２条用の苗載置部２８ａ及び中央２条用の苗載置部２８ａにおける苗縦送りが行われ、左端側２条用の縦送りベルト２８Ｌが停止されて左端側２条用の苗載置部２８ａにおける苗縦送りが行われず、左端側の２条植えを停止した４条植えの苗植作業をできる。
【０１０３】
そして、右端側２条用の端数条繰出クラッチ４０Ｒ及び中２条用の端数条繰出クラッチ４０Ｎを入状態に操作でき、右端側２条用の繰出機構１４Ｒ及び中央２条用の繰出機構１４Ｎが駆動されて右端側２条用の粉粒体供給部２２及び中央２条用の粉粒体供給部２２が作用状態になり、左端側２条用の端数条繰出クラッチ４０Ｌを切状態に操作でき、左端側２条用の繰出機構１４Ｌが停止して左端側２条用の粉粒体供給部２２が停止状態になり、右端側２条植えの植付苗及び中央２条植えの植付苗それぞれに肥料供給する施肥作業をできる。
【０１０４】
左端のクラッチレバー５０Ｌを入位置［ＯＮ］に操作し、中央のクラッチレバー５０Ｎ及び右端のクラッチレバー５０Ｒを切位置［ＯＦＦ］に操作すれば、左端側２条用の端数条植クラッチ６０Ｌを入状態に操作できて左端側２条の苗植付機構２７が作用状態になり、右端側２条用の端数条植クラッチ６０Ｒ及び中２条用の端数条植クラッチ６０Ｎを切状態に操作できて右端側２条用の苗植付機構２７及び中２条用の苗植付機構２７が停止状態になる。
【０１０５】
そして、左端側２条用の端数条縦送りクラッチ７０Ｌを入状態に操作でき、左端側２条用の縦送りベルト２８Ｌが駆動されて左端側２条用の苗載置部２８ａにおける苗縦送りが行われ、右端側２条用の端数条縦送りクラッチ７０Ｒ及び中２条用の端数条縦送りクラッチ７０Ｎを切状態に操作でき、右端側２条用の縦送りベルト２８Ｒ及び中央２条用の縦送りベルト２８Ｎが停止されて右端側２条用の苗載置部２８ａ及び中央２条用の苗載置部２８ａにおける苗縦送りが行われず、右端側の２条植え及び中央の２条植えを停止した２条植えの苗植作業をできる。
【０１０６】
そして、左端側２条用の端数条繰出クラッチ４０Ｌを入状態に操作でき、左端側２条用の繰出機構１４Ｌが駆動されて左端側２条用の粉粒体供給部２２が作用状態になり、右端側２条用の端数条繰出クラッチ４０Ｒ及び中２条用の端数条繰出クラッチ４０Ｎを切状態に操作でき、右端側２条用の繰出機構１４Ｒ及び中央２条用の繰出機構１４Ｎが停止して右端側２条用の粉粒体供給部２２及び中央２条用の粉粒体供給部２２が停止状態になり、左端側２条植えの植付苗それぞれに肥料供給する施肥作業をできる。
【０１０７】
右端のクラッチレバー５０Ｒを入位置［ＯＮ］に操作し、中央のクラッチレバー５０Ｎ及び左端のクラッチレバー５０Ｌを切位置［ＯＦＦ］に操作すれば、右端側２条用の端数条植クラッチ６０Ｒを入状態に操作できて右端側２条の苗植付機構２７が作用状態になり、左端側２条用の端数条植クラッチ６０Ｌ及び中２条用の端数条植クラッチ６０Ｎを切状態に操作できて左端側２条用の苗植付機構２７及び中２条用の苗植付機構２７が停止状態になる。
【０１０８】
そして、右端側２条用の端数条縦送りクラッチ７０Ｌを入状態に操作でき、右端側２条用の縦送りベルト２８Ｒが駆動されて右端側２条用の苗載置部２８ａにおける苗縦送りが行われ、左端側２条用の端数条縦送りクラッチ７０Ｌ及び中２条用の端数条縦送りクラッチ７０Ｎを切状態に操作でき、左端側２条用の縦送りベルト２８Ｌ及び中央２条用の縦送りベルト２８Ｎが停止されて左端側２条用の苗載置部２８ａ及び中央２条用の苗載置部２８ａにおける苗縦送りが行われず、左端側の２条植え及び中央の２条植えを停止した２条植えの苗植作業をできる。
【０１０９】
そして、右端側２条用の端数条繰出クラッチ４０Ｒを入状態に操作でき、右端側２条用の繰出機構１４Ｒが駆動されて右端側２条用の粉粒体供給部２２が作用状態になり、左端側２条用の端数条繰出クラッチ４０Ｌ及び中２条用の端数条繰出クラッチ４０Ｎを切状態に操作でき、左端側２条用の繰出機構１４Ｌ及び中央２条用の繰出機構１４Ｎが停止して左端側２条用の粉粒体供給部２２及び中央２条用の粉粒体供給部２２が停止状態になり、右端側２条植えの植付苗それぞれに肥料供給する施肥作業をできる。
【０１１０】
図１，２に示すように、三本のクラッチレバー５０Ｌ，５０Ｎ，５０Ｒを端数条繰出クラッチ４０Ｌ，４０Ｎ，４０Ｒの操作部４４に連動連結する左用の操作ケーブル５１Ｌ、中用の操作ケーブル５１Ｎ及び右用の操作ケーブル５１Ｒは、リンク機構８を車体右横外側方向に迂回する迂回部位５１Ｕを備えた状態で自走車と水田作業部２０とにわたって配備してある。
【０１１１】
三本の操作ケーブル５１Ｌ，５１Ｎ，５１Ｒは、自走車側に設けたケーブルガイド５４、及び水田作業部側に設けたケーブルガイド５５によって途中箇所が支持されるように構成してある。自走車側のケーブルガイド５４は、供給装置フレーム１３から後方向きに延出されている。水田作業部側のケーブルガイド５５は、苗載台フレーム５６に支持されている。水田作業部側のケーブルガイド５５は、バランススプリング５７の支持部材５８を苗載台フレーム５６に締め付け連結する連結ボルト５９により、支持部材５８との共締め連結によって苗載台フレーム５６に支持してある。
【０１１２】
バランススプリング５７は、苗載台２８の横端部とリンク機構８とにわたって架設され、苗載台２８が横移送によって横外側に移動しても、苗載台２８の荷重のために水田作業部２０の左右の重量バランスが崩れにくいように、苗載台２８を引っ張り支持するものである。
【０１１３】
自走車側のケーブルガイド５４及び水田作業部側のケーブルガイド５５は、延出端側に形成されたループ部５４ａ，５５ａを備え、ループ部５４ａ，５５ａに三本の操作ケーブル５１Ｌ，５１Ｎ，５１Ｒを挿通させることによって、各操作ケーブル５１Ｌ，５１Ｎ，５１Ｒを支持するように構成してある。
【０１１４】
三本の操作ケーブル５１Ｌ，５１Ｎ，５１Ｒは、それぞれの迂回部位５１Ｕが水田作業部２０の下降作業状態において水平又はほぼ水平になる状態で支持されている。
【０１１５】
図１，２に示すように、自走車において、手摺り７ｂの横外側端が最も車体横外側に突出し、自走車の横外側端７Ｔに相当している。三本の操作ケーブル５１Ｌ，５１Ｎ，５１Ｒそれぞれは、迂回部位５１Ｕの平面視形状が車体横外側方向に突の円弧形状になる状態で、かつ迂回部位５１Ｕにおける車体横外側端５１Ｔが車体横方向で自走車の横外側端７Ｔと同じ又はほぼ同じ箇所に位置する状態で支持されている。
【０１１６】
三本の操作ケーブル５１Ｌ，５１Ｎ，５１Ｒそれぞれの迂回部位５１Ｕには、苗載台２８の左右方向での往復移送に伴い、自走車側のケーブルガイド５４による支持点を揺動支点にして水田作業部側が左右方向に揺動する動きが発生するが、迂回部位５１Ｕにおける車体横外側端５１Ｔは、自走車側のケーブルガイド５４と水田作業部側のケーブルガイド５５との間に位置していて、迂回部位５１Ｕにおける車体横外側端５１Ｔの動き量が迂回部位５１Ｕの後端側の動き量に比して小量である。従って、迂回部位５１Ｕにおける車体横外側端５１Ｔは、苗載台２８の往復移送にかかわらず、車体横方向で自走車の横外側端７Ｔと同じ又はほぼ同じ箇所に位置する。
【０１１７】
図３に示すように、三本の操作ケーブル５１Ｆ，５１Ｎ，５１Ｒそれぞれにおいて、迂回部位５１Ｕと、左端側２条用の端数条繰出クラッチ４０Ｌ又は中央２条用の端数条繰出クラッチ４０Ｎ又は右端側２条用の端数条繰出クラッチ４０Ｒの操作部４４とにわたる部分５１Ａは、供給装置フレーム１３のうちの車体横向きの後側の支持フレーム１３ｒに沿わせて配備してある。
【０１１８】
図５に示すように、三本の操作ケーブル５１Ｆ，５１Ｎ，５１Ｒそれぞれにおいて、迂回部位５１Ｕと左端のクラッチレバー５０Ｌ又は中央のクラッチレバー５０Ｎ又は右端のクラッチレバー５０Ｒの基部５０ａとにわたる部分５１Ｂは、苗載台２８の裏面側に苗載台横方向に配備してある。三本の植付操作ケーブル７１Ｌ，７１Ｎ，７１Ｒそれぞれは、苗載台２８の裏面側に苗載台上下方向に配備してある。
【０１１９】
各クラッチレバー５０Ｌ，５０Ｎ，５０Ｒの揺動軸芯Ｐと、クラッチレバー５０Ｌ，５０Ｎ，５０Ｒにおける操作ケーブル５１Ｌ，５１Ｎ，５１Ｒの連結点Ｋ１と、クラッチレバー５０Ｌ，５０Ｎ，５０Ｒにおける植付操作ケーブル７１Ｌ，７１Ｎ，７１Ｒの連結点Ｋ２との位置関係を、図９に示す如き位置関係に設定してある。
【０１２０】
すなわち、操作ケーブル５１Ｌ，５１Ｎ，５１Ｒのうちの迂回部位５１Ｕとクラッチレバー５０Ｌ，５０Ｎ，５０Ｒとにわたる部分５１Ｂに位置するインナーケーブル５１ａと植付操作ケーブル７１Ｌ，７１Ｎ，７１Ｒのインナーケーブル７１ａとが、クラッチレバー５０Ｌ，５０Ｎ，５０Ｒの切位置［ＯＦＦ］において車体前後方向視で交差し、クラッチレバー５０Ｌ，５０Ｎ，５０Ｒの入位置［ＯＮ］において車体前後方向視での交差が解消する位置関係に設定してある。
【０１２１】
〔別実施例〕
（１）上記した実施例では、各端数条繰出クラッチ４０Ｌ，４０Ｎ，４０Ｒ及び各端数条植クラッチ６０Ｌ，６０Ｎ，６０Ｒによって作用状態と停止状態とに切換えられる施肥条数や植付条数を２条に設定した例を示したが、１条や、３条以上に設定して実施してもよい。
【０１２２】
（２）上記した実施例では、三本の操作ケーブル５１Ｌ，５１Ｎ，５１Ｒの全てがリンク機構８を車体右横外側方向に迂回するよう構成した例を示したが、三本の操作ケーブル５１Ｌ，５１Ｎ，５１Ｒの全てがリンク機構８を車体左横外側方向に迂回するよう構成して実施してもよい。また、三本の操作ケーブル５１Ｌ，５１Ｎ，５１Ｒのうちの一部の操作ケーブルと、その他の操作ケーブルとがリンク機構８を車体右横外側方向と車体左横外側方向とに分かれて迂回するように構成して実施してもよい。
【０１２３】
（３）上記した実施例では、左端側２条用の端数条繰出クラッチ４０Ｌ、中央２条用の端数条繰出クラッチ４０Ｎ及び右端側２条用の端数条繰出クラッチ４０Ｒを三本のクラッチレバー５０Ｌ，５０Ｎ，５０Ｒによって各別に切換え操作するように構成した例を示したが、左端側２条用の端数条繰出クラッチ４０Ｌ、中央２条用の端数条繰出クラッチ４０Ｎ及び右端側２条用の端数条繰出クラッチ４０Ｒそれぞれの操作部に三本の操作ケーブル５１Ｌ，５１Ｎ，５１Ｒによって各別に連動連結された三つの被操作部、及び三つの被操作部に掛け換え操作できる一本のクラッチレバーを備え、左端側２条用の端数条繰出クラッチ４０Ｌ、中央２条用の端数条繰出クラッチ４０Ｎ及び右端側２条用の端数条繰出クラッチ４０Ｒを一本のクラッチレバーによって各別に切換え操作するように構成して実施してもよい。
【０１２４】
（４）上記した実施例では、操作ケーブル５１Ｌ，５１Ｎ，５１Ｒの迂回部位５１Ｕが水田作業部２０の下降作業状態において、水平又はほぼ水平になるよう構成した例を示したが、前後方向に傾斜するよう構成して実施してもよい。
【産業上の利用可能性】
【０１２５】
本発明は、自走車に設けた端数条繰出クラッチ４０の操作部４４と水田作業部２０に設けたクラッチレバー５０Ｌ，５０Ｎ，５０Ｒとを操作ケーブル５１Ｌ，５１Ｎ，５１Ｒによって連動連結した水田作業車の他、水田作業部に設けた端数条植クラッチ６０の操作部６０ａと自走車に設けたクラッチレバーとを操作ケーブルによって連動連結した水田作業車にも利用可能である。また、水田作業部に直播用の端数条繰出クラッチを設け、この端数条繰出クラッチの操作部と自走車に設けたクラッチレバーとを操作ケーブルによって連動連結した水田作業車にも利用可能である。
【符号の説明】
【０１２６】
７Ｔ                      車体外側端
８                        リンク機構
１１                      粉粒体タンク
１４Ｌ，１４Ｎ，１４Ｒ    繰出機構
２０                      水田作業部
２２                      対地作業部（粉粒体供給部）
２７                      苗植付機構
２８                      苗載台
２８ｂ                    縦送りベルト
４０Ｌ，４０Ｎ，４０Ｒ    端数条クラッチ（端数条繰出クラッチ）
４４                      操作部
５０Ｌ，５０Ｎ，５０Ｒ    クラッチレバー
５１Ｂ                    部分
５１Ｌ，５１Ｎ，５１Ｒ    操作ケーブル
５１Ｕ                    迂回部位
５１Ｔ                    車体外側端
６０ａ                    操作部
６０Ｌ，６０Ｎ，６０Ｒ    端数条植クラッチ
７１Ｌ，７１Ｎ，７１Ｒ    植付操作ケーブル
【図１】
2015092878.tif 000003
【図２】
2015092878.tif 000004
【図３】
2015092878.tif 000005
【図４】
2015092878.tif 000006
【図５】
2015092878.tif 000007
【図６】
2015092878.tif 000008
【図７】
2015092878.tif 000009
【図８】
2015092878.tif 000010
【図９】
2015092878.tif 000011
【図１０】
2015092878.tif 000012
【図１１】
2015092878.tif 000013